(57)【特許請求の範囲】
【請求項１】
排紙と排紙の間に区分け用のテープを挿入するための区分け装置において、
テープを外部に排出する出口が形成された筐体と、
凸状と凹状の２つのロールからなり、前記筐体内に設けられてロール状のテープからテープを引き出して長手方向に直交する断面で略Ｖ字形に腰付けして前記出口に向けて送る送りローラと、
前記送りローラを駆動するモータと、
前記筐体内において前記送りローラと前記出口の間に設けられ、前記送りローラが送り出した前記テープを切断する切断手段と、
送り出されるテープのコースに一部かかる前記出口の一側方に設けられ、切断されたテープを送り方向と交差する方向にオフセットした位置に支持することにより、後方から送り出されるテープと前記切断されたテープの端面同士を外れることなく接触係合させる突起部と、
前記テープを前記切断手段よりも先方に所定長さだけ送り出し、前記切断手段を作動させて前記テープを切断し、さらに前記切断手段と前記出口の間隔に相当する長さだけ前記テープを送り出して前記筐体の内部にある先に切断したテープの後端を前記出口から押し出すように前記モータと前記切断手段を制御する制御手段を具備する区分け装置。
【請求項２】
前記切断手段によって切断された前記テープの詰まりを検知するジャムセンサをさらに有し、
前記制御手段は、前記テープを前記切断手段よりも先方に所定長さＬ１だけ送り出してから前記切断手段を作動させて前記テープを切断した後に、前記ジャムセンサがテープの詰まりを検知した場合には、さらにテープを長さＬ２だけ送り出して前記筐体の内部にある先に切断したテープの後端を前記出口から押し出すように前記モータと前記切断手段を制御することを特徴とする請求項１記載の区分け装置。
【請求項３】
前記ジャムセンサがテープの詰まりを検知してテープが長さＬ２だけ送り出された場合には、
前記制御手段は、次に前記テープを送り出す長さをＬ１−Ｌ２とすることを特徴とする請求項２記載の区分け装置。
【発明の詳細な説明】
【０００１】
【発明の属する技術分野】
本発明は、印刷装置の排紙部などに設けられ、排紙と排紙の間にテープを挿入して印刷物の区分けを行なう区分け装置に関する。
【０００２】
【従来の技術】
印刷装置の排紙部には、排出された印刷物を区分けするために、排紙と排紙の間にテープを挿入する区分け装置が設けられていることがある。
図６は、従来の区分け装置の一例を示す断面図である。筐体１００の内部には、ロール状のテープ１０１と、送りロール１０２が設けられている。このテープは送りロール１０２に引き出されて出口１０３に向けて送られる。この送りロール１０２は、図７に示すように、凸状の上ロール１０４と凹状の下ロール１０５からなり、テープ１０１を長手方向に直交する断面でみて略Ｖ字形に腰付けして搬送する。さらに筐体１００内には、送りロール１０２と出口１０３の間に切断手段１０６がある。テープ１０１が切断手段１０６を通過して出口１０３の外に所定寸法突出するまで送りロール１０２が作動する。その後、切断手段１０６が作動してテープ１０１を切断する。切断されたテープ１０１は、出口１０３よりも外に突出している部分の自重で落下し、筐体１００に隣接する排紙部に積み重ねられている印刷用紙１１０の上に載る。
【０００３】
【発明が解決しようとする課題】
排紙部に積み重ねられた印刷用紙１１０が少ない場合は、切断されたテープ１０１は自重で落下できる。しかし図６に示すように、印刷用紙１１０が多く、区分け装置の出口１０３と印刷用紙１１０の上面との落差が少ない場合は、出口１０３から外に突出したテープ１０１の先端が印刷用紙１１０の上面に引っかかってしまいテープジャムが発生してしまう。
【０００４】
かかる問題点を解決するために、図８に示すような区分け装置が提案された。これは、図６に示した区分け装置において、切断手段１０６と筐体１００の出口１０３の間に、さらに排出ローラ１１１を設けたものである。即ち、この排出ローラ１１１は、切断されたテープ１０１を強制的に排出する機構であり、進行方向に沿った推進力をテープ１０１に加えて安定的に飛出させる機能を有している。
【０００５】
しかし、このように排出ローラ１１１を付加すれば機構が複雑になり、調整作業も煩雑になった。
本発明は、このような複雑な機構を用いることなく、簡単な構成でテープジャムを発生させずにテープを安定して自由落下させることができるようにすることを目的としている。
【０００６】
【課題を解決するための手段】
請求項１に記載された区分け装置は、排紙と排紙の間に区分け用のテープ（２）を挿入するための区分け装置において、テープを外部に排出する出口（４）が形成された筐体（１）と、凸状と凹状の２つのロールからなり、前記筐体内に設けられてロール状のテープからテープを引き出して長手方向に直交する断面で略Ｖ字形に腰付けして前記出口に向けて送る送りローラ（３）と、前記送りローラを駆動するモータ（６）と、前記筐体内において前記送りローラと前記出口の間に設けられ、前記送りローラが送り出した前記テープを切断する切断手段（５）と、送り出されるテープのコースに一部かかる前記出口の一側方に設けられ、切断されたテープを送り方向と交差する方向にオフセットした位置に支持することにより、後方から送り出されるテープと前記切断されたテープの端面同士を外れることなく接触係合させる突起部（２０）と、前記テープを前記切断手段よりも先方に所定長さだけ送り出し、前記切断手段を作動させて前記テープを切断し、さらに前記切断手段と前記出口の間隔に相当する長さ（イ）だけ前記テープを送り出して前記筐体の内部にある先に切断したテープの後端を前記出口から押し出すように前記モータと前記切断手段を制御する制御手段（８）を具備している。
【０００７】
請求項２に記載された区分け装置は、請求項１記載の区分け装置において、前記切断手段によって切断された前記テープの詰まりを検知するジャムセンサ（１４）をさらに有し、前記制御手段は、前記テープを前記切断手段よりも先方に所定長さＬ１だけ送り出してから前記切断手段を作動させて前記テープを切断した後に、前記ジャムセンサがテープの詰まりを検知した場合には、さらにテープを長さＬ２だけ送り出して前記筐体の内部にある先に切断したテープの後端を前記出口から押し出すように前記モータと前記切断手段を制御することを特徴としている。
【０００８】
請求項３に記載された区分け装置は、請求項２記載の区分け装置において、前記ジャムセンサ（１４）がテープ（２）の詰まりを検知してテープが長さＬ２だけ送り出された場合には、前記制御手段（８）は、次に前記テープを送り出す長さをＬ１−Ｌ２とすることを特徴とする。
【００１０】
【本発明の実施の形態】
本発明の実施の形態の第１の例を図１〜図５を参照して説明する。
図１に示すように、筐体１の内部には、ロール状のテープ２と、送りロール３が設けられている。このテープ２は送りロール３に引き出されて出口４に向けて送られる。この送りロール３は、図７に示す従来のものと同等の構造であり、凸状の上ロール１０４と凹状の下ロール１０５からなり、テープ２を長手方向に直交する断面でみて略Ｖ字形に腰付けして搬送する。さらに筐体１内には、送りロール３と出口４の間に切断手段５がある。
【００１１】
図１および図２に示すように、筐体１の出口４の一側方には突起部２０が設けられている。図２に示すように、切断手段５で切断する前のテープ２は鎖線で示す２ａの位置にあり、切断手段５で切断した後にテープ２が出口４に引っ掛かる際の位置は実線で示す２ｂの位置にある。
即ち、突起部２０は送り出されるテープ２のコースに一部かかる位置に設けられており、先方に送り出されたテープ２は突起部２０に接触するので、切断された後のテープ２は後方から送り出されるテープとは異なる位置に支持される。
そして、前述したように、本例のテープ２はＶ字形に成形されて送られるので、送り方向と交差する方向にオフセットされた先方のテープ２と、後方のテープ２は、互いに確実に当接することができる。即ち、後方のテープの表面は、前方の切断されたテープの表面に対して大きく傾斜しており、互いの端面同士は大きく交差しているので当該端面同士は外れることなく接触係合でき、後方のテープ２ａは先方にある引っ掛かかったテープ２ｂを、確実に押して筐体１外に出すことができる。
【００１２】
送りロール３は、伝動機構１０を介して駆動手段としてのモータ６によって駆動される。送りロール３の回転量は送り量検出手段としてのエンコーダ１３によって検出される。切断手段５は、伝動機構１０が含むカム等及び該カムによって駆動されるリンク機構１１を介して前記モータ６により駆動される。送りロール３が送り動作をする際のモータ６の回転方向と、切断手段５が切断動作をする際のモータ６の回転方向は逆である。
【００１３】
図１において１４はテープジャムセンサであり、切断されて本装置外に送り出されるテープ片が筐体１の出口４に詰まった場合にこれを検出する。１５はテープ有無センサであり、ロール状のテープ２を使い切って送り出されない場合に信号を出力する。１６は保持センサであり、モータ６の逆転タイミングを設定するために保持センサ１６がＯＮの時にモータ６がＯＦＦとなる。なお、１７はスタンプであり、排紙台上の印刷用紙等の間に挟むテープに区分けの便宜等のためにスタンプを押印する手段である。
【００１４】
図３に示すように、制御手段８には、本装置に設けられているスタートスイッチ１８や、テープジャムセンサ１４、テープ有無センサ１５、保持センサ１６からの信号が入力される。さらに、制御手段８には、図１に示す中継基板１２を介して、本装置が取り付けられている印刷装置から送られてくるスタート信号１９やスタンプ信号２０が入力される。
【００１５】
制御手段８は、フラッシュメモリ２０やＲＡＭ２１などの記憶手段、ＣＰＵ２２、入力装置２３及び出力装置２４などを有している。制御手段８は、上述したセンサやスイッチからの信号、本装置が取り付けられた印刷装置からの信号に基づいてモータ６やスタンプ１７を制御する。これによって、印刷されて排紙台上に排出された印刷用紙の積載に合わせて適当なタイミングでテープを切断してその上に落下させ、区分けを行なうことができる。
【００１６】
本装置における制御について図４及び図５を参照して説明する。
スタートスイッチ１８からのスタート信号又は印刷装置側からのスタート信号１９が入力されると（Ｓ１、ＹＥＳ）、モータ６が正転して送りロール３がテープ２を送り出す。テープの送り量に対応する送りロール３の回転量をエンコーダ１３がカウントする（Ｓ２）。所定のテープ長Ｌ１が送られたら（Ｓ３、ＹＥＳ）、保持センサ１６からの信号に基づいて制御手段８がモータ６を逆転させて切断手段５を作動させる（Ｓ４）。ここで次の動作に移るまで所定長さの時間を置く（Ｓ５）。これは、切断されたテープ２が切断動作に伴う反動で後端部が上方に跳ね上がることがあり、かかる挙動が安定して切断されたテープ２が所期の位置に収まるのを待つためである。即ち、テープの挙動が安定するまでの待機時間である。次に、本装置の制御は２つの方法に分かれる。
【００１７】
第１の方法はＳ５の次に（イ）の経路に進む。テープジャムセンサ１４がテープジャムを検知した時には（Ｓ６、ＹＥＳ）、制御手段８はモータ６を正転させる（Ｓ７）。所定のテープ長Ｌ２が送られたら（Ｓ８、ＹＥＳ）、１動作の完了となる（Ｓ９）。
【００１８】
即ち、図４に示すように、モータ６の正転によってテープ長Ｌ１だけ送った後、テープ２が切断され、その後テープジャムセンサ１４のジャム検知によりさらにテープ２がテープ長３だけ送られる。これによって、切断された先方のテープ片（長さはテープ長Ｌ１）は後方からテープ２によってテープ長Ｌ２だけ押されて前方に押し出される。この際、前後のテープは図２に示すような２つのテープ２ａ，２ｂの関係になっているので突き当たりが確実で詰まった前方のテープ片は確実に前方に押し出される。
【００１９】
よって、切断された先行のテープ２ｂの後端が筐体１内に残っている場合であっても、あるいは切断された先行のテープ２ｂの先端が印刷用紙の上面に引っ掛かっている場合であっても、切断されたテープ２ｂは確実に筐体１外に押し出されて印刷用紙の上に落下することができる。
【００２０】
また、図４中に破線で、また図５におけるＳ６、ＮＯの分岐で示すように、テープ２の切断後に、テープジャムセンサ１４がジャム信号を出力しない場合には、後方からテープ２を送り出して先方のテープを送り出す動作は行なわない。
【００２１】
この（イ）の経路による制御によれば、ジャムの有無により後方からテープで押し出す場合と押し出さない場合とがある。いずれの場合にも外に押し出されるテープ片の長さが一定になるように制御する。具体的には、前回の制御ではテープ長Ｌ２の押し出しをした場合、次の送り長さであるテープ長Ｌ１にテープ長Ｌ２を含めて動作させる。すなわち、前回テープ長Ｌ２の押し出し動作をしている場合には、次の送り動作のテープ長Ｌ１から前回の送り出し動作分であるテープ長Ｌ２を差し引く。
【００２２】
第２の方法は図５のＳ５の次に（ロ）の経路に進む。この例は、テープのジャムの有無に係わらずテープの押し出し動作を行うものであり、従って、機械的な構成としてはテープジャムセンサ１４は不要となる。即ち、テープ切断後の挙動安定時間経過後（Ｓ５）、制御手段８はモータ６を正転させ（Ｓ７）、所定のテープ長Ｌ２が送られたら（Ｓ８、ＹＥＳ）、１動作の完了となる（Ｓ９）。
【００２３】
【発明の効果】
本発明によれば、切断したテープを後方から押して筐体外に確実に強制排出することができるので、切断されたテープは自重で落下して排出動作が安定し、テープジャムが発生しないという効果が得られる。
【図面の簡単な説明】
【図１】本発明の区分け装置の実施の形態の一例を示す模式的構造図である。
【図２】本発明の区分け装置の実施の形態の一例における筐体の出口の正面図である。
【図３】本発明の区分け装置の実施の形態の一例における制御ブロック図である。
【図４】本発明の区分け装置の実施の形態の一例の駆動タイミング図である。
【図５】本発明の区分け装置の実施の形態の一例における制御を示す流れ図である。
【図６】従来の区分け装置の一例を示す模式的断面図である。
【図７】従来の区分け装置の一例における送りロールの正面図である。
【図８】従来の区分け装置の他の例を示す模式的断面図である。
【符号の説明】
１…筐体
２…テープ
３…送りロール
４…出口
５…切断手段
６…モータ
８…制御手段
１４…テープジャムセンサ
【図１】
0003836316.tif 000002
【図２】
0003836316.tif 000003
【図３】
0003836316.tif 000004
【図４】
0003836316.tif 000005
【図５】
0003836316.tif 000006
【図６】
0003836316.tif 000007
【図７】
0003836316.tif 000008
【図８】
0003836316.tif 000009